(57)【要約】【課題】充填剤を使用する場合は、作業現場において樹脂などを充填するので手間がかかり、充填材で接続部品および作業現場を汚す。また、ロックナットを使用する場合は、使用中、張力によってロックナットが緩む恐れがあり、接続の確実性を維持することに課題があった。【解決手段】カプラーとロックナットとの間において回転可能にねじ鉄筋に嵌合させる座金を備え、カプラーとロックナットとの当接面が互いにテーパー状に形成されており、ねじ鉄筋にロックナットを螺合させた後、座金を回転させて互いに当接するテーパー状の当接面によってカプラーとロックナット間の間隔を広げ、カプラーのねじ山とねじ鉄筋のねじ山とを強固に係合させるように構成したものである。【選択図】図４
2008075414.tif 000002
【特許請求の範囲】
【請求項１】
少なくとも接続すべき端部にねじが形成された一対のねじ鉄筋と、これら一対のねじ鉄筋のねじを螺合するねじが内部に形成されたカプラーと、このカプラーを挟むように前記ねじ鉄筋に螺合するロックナットとを有するねじ鉄筋の接続方法において、前記カプラーと前記ロックナットとの間において回転可能に前記ねじ鉄筋に嵌合させる座金を備え、この座金と前記ロックナットとの当接面が互いにテーパー状に形成されており、前記ねじ鉄筋に前記ロックナットを螺合させた後、前記座金を回転させて互いに当接するテーパー状の当接面によって前記カプラーと前記ロックナット間の間隔を広げ、前記カプラーのねじ山とねじ鉄筋のねじ山とを密着させて強固に係合させることを特徴とするねじ鉄筋の接続方法。
【請求項２】
前記座金の外形は多角形に形成したことを特徴とする請求項１記載のねじ鉄筋の接続方法。
【請求項３】
前記カプラーまたはねじ鉄筋のねじ部にフッ素系合成樹脂を固着したことを特徴とする請求項１記載のねじ鉄筋の接続方法。
【発明の詳細な説明】
【技術分野】
【０００１】
この発明は、一対のねじ鉄筋をカプラーを介して接続するねじ鉄筋の接続方法に関するものである。
【背景技術】
【０００２】
従来、高層ビルなどに用いられるねじ鉄筋同士を接続するためには、接続すべき一対のねじ鉄筋をカプラー内のねじに螺合させて接続している。
しかし、カプラーは精度が余りよくなく、がたつきが生じるので、特許文献１に示されるように、カプラーの周面に穴をあけて、カプラー内に樹脂またはモルタルを充填して、張力がかかってもがたつきが生じないようにしている。
また、特許文献２に示されるように、ねじ鉄筋のそれぞれに螺合されたロックナットをカプラーの両端面に向かって締め付けるものがある。
【０００３】
【特許文献１】特開平１１−１０７４４５号公報（図１参照）
【特許文献２】特開２００４−２３８８６９号公報（図２参照）
【発明の開示】
【発明が解決しようとする課題】
【０００４】
従来のねじ鉄筋の接続方法は上記のように行われているので、特許文献１に示されるものでは、充填材が十分充填されているか否かを外部から確認することができなく、接続の確実性を認識することができない。また、作業現場において樹脂などを充填することは手間がかかり、充填材で接続部品および作業現場を汚す等の課題があった。
また、特許文献２に示されるようにロックナットを使用するものは、使用中、張力によってロックナットが緩む恐れがあり、接続の確実性を維持することに課題があった。
【０００５】
この発明は上記従来の課題を解消するためになされたもので、現場における作業が簡単であり、一対のねじ鉄筋をカプラーによって確実に接続できるねじ鉄筋の接続方法を提供することを目的とする。
【課題を解決するための手段】
【０００６】
この発明に係るねじ鉄筋の接続方法は、少なくとも接続すべき端部にねじが形成された一対のねじ鉄筋と、これら一対のねじ鉄筋のねじを螺合するねじが内部に形成されたカプラーと、このカプラーを挟むように前記ねじ鉄筋に螺合するロックナットとを有するねじ鉄筋の接続方法において、前記カプラーと前記ロックナットとの間において回転可能に前記ねじ鉄筋に嵌合させる座金を備え、この座金と前記ロックナットとの当接面が互いにテーパー状に形成されており、前記ねじ鉄筋に前記ロックナットを螺合させた後、前記座金を回転させて互いに当接するテーパー状の当接面によって前記カプラーと前記ロックナット間の間隔を広げ、前記カプラーのねじ山とねじ鉄筋のねじ山とを密着させて強固に係合させるものである。
【発明の効果】
【０００７】
この発明によれば、カプラーとロックナットとの間に介在させた座金を回転させることにより、この座金とロックナットとのテーパ状当接面により、ロックナットを軸線方向に移動させてカプラーとロックナットとの間隔を広げ、カプラーのねじ山とねじ鉄筋のねじ山とを密着させて強固に係合させるように構成したので、樹脂またはモルタル等の充填材を使用する必要がない。従って、作業現場において樹脂等を充填する手間もなく、現場における作業が簡単であり、充填材で接続部品および作業現場を汚すこともない。また、使用中、張力によってロックナットが緩む恐れもなく、一対のねじ鉄筋を確実に接続できる効果がある。
【発明を実施するための最良の形態】
【０００８】
以下、この発明の実施の形態を図１から図１２を参照して詳細に説明する。
図１はこの発明の実施の形態によるねじ鉄筋の接続方法を説明するカプラー、座金、ロックナットの縦断面図である。図２〜図４はこの発明によるねじ鉄筋の接続工程の説明図である。図５〜図８は一部を拡大して示したこの発明によるねじ鉄筋の接続工程の説明図である。図９は座金の拡大斜視図である。図１０は座金を示す図で、（ａ）は座金の斜視図、（ｂ）はその縦断面図である。図１１はロックナットを示す図で、（ａ）はロックナットの斜視図、（ｂ）はその縦断面図、図１２は座金の回転でカプラーとロックナットの間隔が広がる状態の説明図である。
【０００９】
図において、一対のねじ鉄筋１，２を接続するカプラー３は筒状をなし、内部に雌ねじ４が形成されている。一対のねじ鉄筋１，２は全長にわたってカプラー３の雌ねじ４に螺合する雄ねじ５が形成されているとともに、両側面が軸線方向に欠如されて平面６に仕上げられている。また、一対のねじ鉄筋１，２にはそれぞれ接続前にロックナット７を螺合させるとともに座金８を嵌合させる。なお、カプラーとねじ鉄筋との材質は夫々異なり、カプラーの方が強度が高い。従ってカプラーはねじ鉄筋の強度により相対的に強度を上げなければならない。
【００１０】
このロックナット７と座金８との対向面は、図１０，１１に示すように全周にわたって斜面７ａ，８ａに形成されている。このため、この斜面７ａ，８ａを１回転することで軸線方向に段差７ｂ，８ｂが形成される。従って、ロックナット７と座金８の斜面同士を当接させることにより、段差７ｂ，８ｂが係合し、ロックナット７の締め付け方向の回転によって座金８も一体となって回転する。
【００１１】
次にねじ鉄筋の接続作業を説明する。まず、図１、図５に示すように、ねじ鉄筋１，２の端部にロックナット７を螺合させ、座金８を嵌合させた後、この接続すべき一対のねじ鉄筋１，２の端部を、この端部同士が当接直前までカプラー３に螺合させる。この状態において、図２，図３および図６，図７に示すように、ロックナット７を締め付けると、この締め付け過程において、座金８は段差７ｂ，８ｂの係合によりロックナット７と一体となって回転しながらカプラー３の端面に押圧される。
【００１２】
ロックナット７を所定の締め付け力で図３の状態に締め付けた後に、座金８のみを段差７ｂ，８ｂの係合が外れる方向に回転させると、図１２に示すように、ロックナット７は座金８のテーパ斜面８ａに押圧されて矢印の軸線方向に後退移動し２点斜線位置となり、ロックナット７と座金８同士の間隔を広げ、その結果、カプラー３とロックナット７の間隔を広げる。このため、図４、図８に示すように、カプラー３のねじ山とロックナット７のねじ山がねじ鉄筋１，２のねじ山に圧接し、一対のねじ鉄筋１，２はカプラー３、ロックナット７、座金８を介して強固に一体に接続される。
【００１３】
なお、図面は、全長にわたり雄ねじ５が形成され、両側面を平面に欠如したねじ鉄筋１，２を示したが、このねじ鉄筋１，２は少なくともカプラー３に螺合する端部のみに雄ねじ５を形成しておけばよい。また、ねじ鉄筋１，２は両側面を平面にすることなく、全長にわたり横断面円形状であっても良い。
また、図面は、ロックナット７と座金８の外観形状を円筒形に形成したものを示したが、回転冶具により掴みやすいように、外形を多角形に形成することを可とする。
【００１４】
以上のように、この発明によれば、カプラーとロックナットとの間において回転可能にねじ鉄筋に勘合させる座金を備え、座金と前記ロックナットとの当接面が互いにテーパー状に形成されており、ねじ鉄筋に前記ロックナットを螺合させた後、座金を回転させて互いに当接するテーパー状の当接面によってロックナットを軸線方向に移動させてカプラーとロックナット間の間隔を広げ、カプラーのねじ山とねじ鉄筋のねじ山とを強固に係合させるように構成したので、樹脂またはモルタル等の充填材を使用する必要がない。従って、作業現場において樹脂等を充填する手間もなく、現場における作業が簡単であり、充填材で接続部品および作業現場を汚すこともない。また、使用中、張力によってロックナットが緩む恐れもなく、一対のねじ鉄筋を確実に接続できるねじ鉄筋の接続方法を得ることができる効果がある。
【００１５】
上記の接続作業に際し、ねじ鉄筋１，２の雄ねじ５またはカプラー３の雌ねじ４にフッ素系合成樹脂例えばテフロン（登録商標）をテープのように巻き付けておく。このようにすると、摩擦が低減され、通常の締め付けトルクより大きな締め付け力が得られ、ねじ鉄筋１，２とカプラー３をより強固に一体に緊結できる。
【図面の簡単な説明】
【００１６】
【図１】図１はこの発明の実施の形態によるねじ鉄筋の接続方法を説明するカプラー、座金を縦断した図である。
【図２】この発明によるねじ鉄筋の接続工程の説明図である。
【図３】この発明によるねじ鉄筋の接続工程の説明図である。
【図４】この発明によるねじ鉄筋の接続工程の説明図である。
【図５】一部を拡大して示したこの発明によるねじ鉄筋の接続工程の説明図である。
【図６】一部を拡大して示したこの発明によるねじ鉄筋の接続工程の説明図である。
【図７】一部を拡大して示したこの発明によるねじ鉄筋の接続工程の説明図である。
【図８】一部を拡大して示したこの発明によるねじ鉄筋の接続工程の説明図である。
【図９】座金の拡大斜視図である。
【図１０】座金を示すもので、（ａ）は座金の斜視図、（ｂ）はその縦断面図である。
【図１１】ロックナットを示すもので、（ａ）はロックナットの斜視図、（ｂ）はその縦断面図である。
【図１２】座金の回転でカプラーとロックナットの間隔が広がる状態の説明図である。
【符号の説明】
【００１７】
１，２  一対のねじ鉄筋１，２
３  カプラー
４  雌ねじ
５  雄ねじ
６  平面
７  ロックナット
８  座金
【図１】
2008075414.tif 000003
【図２】
2008075414.tif 000004
【図３】
2008075414.tif 000005
【図４】
2008075414.tif 000006
【図５】
2008075414.tif 000007
【図６】
2008075414.tif 000008
【図７】
2008075414.tif 000009
【図８】
2008075414.tif 000010
【図９】
2008075414.tif 000011
【図１０】
2008075414.tif 000012
【図１１】
2008075414.tif 000013
【図１２】
2008075414.tif 000014